【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部の変動表示を停止することで表示結果を導出し、該表示結果に応じて入賞が発生可能な遊技機において、
遊技の制御を行う遊技制御手段と、
前記遊技制御手段から送信された制御情報に基づいて演出を行う演出制御手段と、
遊技者が表示結果を導出させるために操作する導出操作手段と、
報知を行うことが可能な報知手段と、
前記導出操作手段への操作を検出する検出手段と、
を備え、
前記遊技制御手段は、
前記可変表示部の変動表示が開始した後、有効化条件が成立したときに前記導出操作手段の操作を有効化する導出操作有効化手段と、
前記報知手段にて前記導出操作手段の操作態様を識別可能な操作態様情報を報知させる制御を行うことが可能な報知制御手段と、
一定間隔毎に定期処理を実行する定期処理実行手段と、
定期処理において前記検出手段の検出状況を取得する検出状況取得処理を実行する検出状況取得処理実行手段と、
複数回の検出状況取得処理により取得した検出状況により前記導出操作手段の操作の有無を特定可能な検出データを作成する検出データ作成手段と、
を含み、
前記導出操作有効化手段は、前記導出操作手段の操作が有効化された状態で電力供給が停止された後、電力供給が再開されたときに、電力供給の再開後に改めて有効化条件が成立するまで前記導出操作手段の操作を有効化せず、
前記報知制御手段は、前記導出操作手段の操作が有効化された状態、かつ前記報知手段にて操作態様情報を報知させる制御を行っている状態で電力供給が停止された後、電力供給が再開されたときに、前記導出操作手段の操作が有効化されるよりも早いタイミングで前記報知手段にて操作態様情報を報知させる制御を再開し、
電力供給の開始後、最初に定期処理が実行されるまでに検出状況取得処理を少なくとも１回実行する、遊技機。
【手続補正２】
【補正対象書類名】明細書
【補正対象項目名】０００２
【補正方法】変更
【補正の内容】
【０００２】
この種の遊技機においては、複数種類のスイッチ類を備え、各スイッチ類の検出状況を
判定するタイミング毎に、入力ポートに入力される各スイッチ類の検出信号の状態を複数のタイミング分用いて各スイッチ類の検出状況を特定することで、ノイズなどの影響を排除するようにしたものが提案されている（例えば、特許文献１参照）。
【手続補正３】
【補正対象書類名】明細書
【補正対象項目名】０００４
【補正方法】変更
【補正の内容】
【０００４】
特許文献１においては、スロットマシンへの電力供給が停止される電断が生じた後、電力供給が再開されて電断から復帰した際に、各種スイッチ類の信号の入力状況を特定する複数回の割込処理が、電断の前後に跨ることとなった場合に、電断前の信号の入力状況と電断から復帰した後の信号の入力状況との相違によって意図しない入力状況が特定されることで誤作動する虞がある。
【手続補正４】
【補正対象書類名】明細書
【補正対象項目名】０００５
【補正方法】変更
【補正の内容】
【０００５】
本発明は、このような問題点に着目してなされたものであり、意図しない検出状態が特定されてしまうことを防止できる遊技機を提供することを目的とする。
【手続補正５】
【補正対象書類名】明細書
【補正対象項目名】０００６
【補正方法】変更
【補正の内容】
【０００６】
（Ａ）  各々が識別可能な複数種類の識別情報を変動表示可能な可変表示部を備え、
前記可変表示部の変動表示を停止することで表示結果を導出し、該表示結果に応じて入賞が発生可能な遊技機において、
遊技の制御を行う遊技制御手段と、
前記遊技制御手段から送信された制御情報に基づいて演出を行う演出制御手段と、
遊技者が表示結果を導出させるために操作する導出操作手段と、
報知を行うことが可能な報知手段と、
前記導出操作手段への操作を検出する検出手段と、
を備え、
前記遊技制御手段は、
前記可変表示部の変動表示が開始した後、有効化条件が成立したときに前記導出操作手段の操作を有効化する導出操作有効化手段と、
前記報知手段にて前記導出操作手段の操作態様を識別可能な操作態様情報を報知させる制御を行うことが可能な報知制御手段と、
一定間隔毎に定期処理を実行する定期処理実行手段と、
定期処理において前記検出手段の検出状況を取得する検出状況取得処理を実行する検出状況取得処理実行手段と、
複数回の検出状況取得処理により取得した検出状況により前記導出操作手段の操作の有無を特定可能な検出データを作成する検出データ作成手段と、
を含み、
前記導出操作有効化手段は、前記導出操作手段の操作が有効化された状態で電力供給が停止された後、電力供給が再開されたときに、電力供給の再開後に改めて有効化条件が成立するまで前記導出操作手段の操作を有効化せず、
前記報知制御手段は、前記導出操作手段の操作が有効化された状態、かつ前記報知手段にて操作態様情報を報知させる制御を行っている状態で電力供給が停止された後、電力供給が再開されたときに、前記導出操作手段の操作が有効化されるよりも早いタイミングで前記報知手段にて操作態様情報を報知させる制御を再開し、
電力供給の開始後、最初に定期処理が実行されるまでに検出状況取得処理を少なくとも１回実行する。
手段１の遊技機は、
遊技を行う遊技機（スロットマシン１）において、
第１の検出手段（確定データが用いられるスイッチ類）と、
第２の検出手段（エッジデータが用いられるスイッチ類）と
前記第１の検出手段及び前記第２の検出手段による検出状態（各種スイッチ類の検出信号）を入力する入力手段（パラレル入力ポート５１１）と、
前記第１の検出手段の検出状況を第１の検出情報（確定データを含むデータ）を用いて判定する第１の判定手段と、
前記第２の検出手段の検出状況を第２の検出情報（エッジデータを含むデータ）を用いて判定する第２の判定手段と、
前記第１の検出情報（確定データを含むデータ）及び前記第２の検出情報（エッジデータを含むデータ）が格納される格納手段（ポート入力バッファ０〜２）と、
前記入力手段（パラレル入力ポート５１１）に入力される検出状態（各種スイッチ類の検出信号）に基づいて前記第１の検出情報（確定データを含むデータ）及び前記第２の検出情報（エッジデータを含むデータ）を前記格納手段（ポート入力バッファ０〜２）に格納する処理（ポート入力処理）を行う検出情報格納処理手段と、
を備え、
前記第１の検出情報は、特定態様の検出情報（エッジデータ）を含まない一方で、前記第２の検出情報は、特定態様の検出情報（エッジデータ）を含み、
前記入力手段は、前記第１の検出手段の検出状態を入力する第１の入力手段（入力ポート０）と、前記第２の検出手段の検出状態を入力する第２の入力手段（入力ポート１、２）と、を含み、
前記検出情報格納処理手段は、前記第１の入力手段（入力ポート０）に入力される検出状態に基づいて前記第１の検出情報を格納する処理と、前記第２の入力手段（入力ポート１、２）に入力される検出状態に基づいて前記第２の検出情報を格納する処理と、を別個に行う
ことを特徴としている。
この特徴によれば、入力手段は、第１の検出手段の検出状態を入力する第１の入力手段と、第２の検出手段の検出状態を入力する第２の入力手段を含み、第１の検出手段及び第２の検出手段による検出状態の入力が検出手段の種類ごとに分けられるため、検出情報格納処理手段において入力手段の種類ごとに対応する処理を行うのみで、検出手段の種類に応じた検出情報を格納手段に格納することができ、検出情報格納処理手段での検出情報の取り扱いを容易にすることができる。